(57)【要約】【課題】  磁気テープカートリッジが衝撃を受けたとしても、フランジ支持部でフランジの変形を阻止するため、フランジと磁気テープの接触によるテープダメージを防ぐことができる磁気テープカートリッジを提供する。【解決手段】   本発明に係る磁気テープカートリッジは、一対のフランジの間で、磁気テープを巻き取るハブを有するリールと、  前記リールを収納し、前記フランジを支持する支持部を有するケースとを備えることで実現する。【選択図】      図１
2015185198.tif 000002
【特許請求の範囲】
【請求項１】
一対のフランジの間で、磁気テープを巻き取るハブを有するリールと、
前記リールを収納し、前記フランジを支持する支持部を有するケースとを備える磁気テープカートリッジ。
【請求項２】
前記支持部は、前記フランジの一方を当接して支持するように、前記ケースの壁部又は前記ケースの隅部に設けられる請求項１に記載の磁気テープカートリッジ。
【請求項３】
前記リールは、回転するときに、前記ハブの軸方向に移動し、前記支持部による前記フランジの支持が外れる請求項１又は２に記載の磁気テープカートリッジ。
【請求項４】
前記支持部は、前記フランジの端部を支持する請求項１〜３のいずれか１項に記載の磁気テープカートリッジ。
【請求項５】
前記支持部は、前記フランジの先端面、またはその先端面付近を支持する請求項４に記載の磁気テープカートリッジ。
【請求項６】
前記支持部は、前記リールが回転する時に、前記磁気テープと干渉しない位置に形成される請求項１〜５のいずれか１項に記載の磁気テープカートリッジ。
【発明の詳細な説明】
【技術分野】
【０００１】
本発明は、磁気テープカートリッジに関するものであり、詳しくは、磁気テープカートリッジ内の磁気テープへのダメージを確実に防ぐための磁気テープカートリッジ構造に関するものである。
【背景技術】
【０００２】
近年、コンピュータシステムにおけるデータ増大に伴い、大記憶容量バックアップの重要性は高まっている。大記憶容量バックアップを実現するため、ヘリカルスキャン方式の磁気テープ装置が用いられている。このような磁気テーブ装置に用いられる磁気テープとして、ケース内に単一のリールが回転可能に収納された磁気テープカートリッジが知られている。
【０００３】
このような磁気テープカートリッジは、磁気テープ装置にセットされると、リールに巻装された磁気テープが引き出されて、情報の記録が行われ、または既に記録された情報が読み出される。これらの目的を終了した後は、磁気テープは磁気テープカートリッジ内のリールに巻き戻されてカートリッジ内に再び収納されるように構成されている。
【０００４】
しかしながら、上記のリールへの巻き戻し時に、テープテンションの変化や磁気テープの乱れにより巻き乱れが発生し、磁気テープの飛び出した部分が振動によってリールに接触し、磁気テープにダメージを発生させるという問題があった。
【０００５】
従って、このようなテープダメージを未然に防ぐ技術の開発が要望されている。
【０００６】
関連技術として、例えば、引用文献１では、リールの遊動回転を防止するリールロック機構を備えたテープカセットが開示されている。このリールロック機構は、リールの下フランジと下ハーフの互いに対向する面に設けられる係合部を備える。この係合部は、凸状部と凹状部を有し、リールをリール台に嵌合する際に、凸状部と凹状部とを係合することにより、リールの遊動回転を防止することができる。
【０００７】
さらに、引用文献２では、種々のテープ、薄板材、綿材等を巻き取り、巻き戻す際に使用するリールに取り付けて、リールの上下フランジの変形を防止するプロテクターが開示されている。このプロテクターは、細長い板状に形成されて、その長手方向にフランジを挟持する手段が設けられる。リールの上下フランジをこれらの挟持手段に挿入して支持することで、リールの上下フランジの変形を防止することができる。
【０００８】
さらに、引用文献３では、磁気テープをリールに巻回中にリールの外周部分を検出したら、巻軸を巻軸方向に移動させ、強制的にテープの巻位置を乱している。こうすることによりテープの最外側の巻回部位をフランジに接触寸前の状態でざら巻き状態にすることでフランジをほとんど動かないように支持させ、フランジが磁気テープの飛び出し部分に接触することを防ぐことができる。
【０００９】
さらにまた、引用文献４では、第１のフランジと第２のフランジとの間の間隔は、リールボスに支持される第２のフランジ内部に設けられる弾性部材の付勢力により、磁気テープの幅と等しく、又は磁気テープの幅よりも小さくなるように調整する巻き取りリールが開示されている。
【００１０】
これにより、磁気テープが巻かれる際に、巻き乱れが生じることを防止することができる。
【先行技術文献】
【特許文献】
【００１１】
【特許文献１】実開昭６１−２８１８０号公報
【特許文献２】実開平０６−２３９７２号公報
【特許文献３】特許第４７９２３７７号公報
【特許文献４】特開２０１３−６９３８３号公報
【発明の概要】
【発明が解決しようとする課題】
【００１２】
しかしながら、特許文献１に記載されているリールロック機構は、テープカセットが輸送時や保管時に落下などで衝撃を受け、上フランジの変形が起こる。この場合、磁気テープが巻かれる際に、巻き上げ時のテープのテンション変動等から磁気テープの一部がリールの中心から上または下に飛び出た部分が上フランジに当たって、磁気テープの飛び出た部分が叩きつぶされることを防止することができない。
【００１３】
また、特許文献２に記載されているプロテクターは、磁気テープカートリッジに適用する場合、リールの上下フランジを支持するので、リールが回転することができなくなる。従って、このようなプロテクターは磁気テープカートリッジに適用することができない。
【００１４】
さらに、特許文献３に記載されている磁気テープ搬送装置は、磁気テープを数回以上の巻回部位にすることで、磁気テープの一部飛び出し部分の時よりもテープダメージは少なくなるが、磁気テープを用いてフランジの変形を阻止している以上、磁気テープがダメージを受けている可能性は否定できない。
【００１５】
さらにまた、特許文献４に記載されている巻き取りリールでは、上フランジと下フランジとの間の間隔は磁気テープの幅と等しく、又は磁気テープの幅よりも小さくなるように調整されている。磁気テープが巻かれる際に、磁気テープが上フランジを押し上げながら巻かれることで、上フランジと磁気テープ間の隙間の存在を無くしている。しかし、磁気テープを用いて上フランジを押し上げている以上、磁気テープがダメージを受けている可能性は否定できない。また、上フランジと磁気テープ間の隙間の存在を無くしている状態で磁気テープが巻かれるので、磁気テープが巻かれる際に、磁気テープが上フランジと接触又は摩耗が発生する問題があった。
【００１６】
本発明は、これらの課題に鑑みてなされたものであり、磁気テープが巻かれる際に、テープテンションの変化や磁気テープの乱れにより巻き乱れが発生し、磁気テープの飛び出した部分が振動によってリールに接触し、磁気テープにダメージを発生させることを防止することができる磁気テープカートリッジを提供することを主たる目的とする。
【課題を解決するための手段】
【００１７】
上記目的を達成するために、本発明の磁気テープカートリッジは、一対のフランジの間で、磁気テープを巻き取るハブを有するリールと、
前記リールを収納し、前記フランジを支持する支持部を有するケースとを備えることを特徴とする。
【発明の効果】
【００１８】
本発明によれば、フランジと磁気テープの接触によるテープダメージを防ぐことができるという効果が得られる。
【図面の簡単な説明】
【００１９】
【図１】本発明の第一の実施形態に係る磁気テープカートリッジの構成例を示す縦断面図である。
【図２】本発明の第一の実施形態に係る各フランジ支持部が磁気テープカートリッジケースの側壁部に設置される状態を示す横断面図である。
【図３】本発明の第一の実施形態に係る各フランジ支持部が磁気テープカートリッジケースの四隅部に設置される状態を示す横断面図である。
【図４】本発明の第一の実施形態に係る磁気テープカートリッジを磁気テープ装置に挿入する状態を示す図である。
【図５】本発明の第一の実施形態に係る磁気テープカートリッジ内で磁気テープを巻き取り又は巻き戻しの動作を示すフローチャートである。
【図６】本発明の第一の実施形態に係るフランジ支持部が上フランジから離れる状態の一部を示す斜視図である。。
【図７】本発明の第一の実施形態に係る磁気テープ装置から磁気テープカートリッジをイジェクトした状態を示す図である。
【図８】本発明の第一の実施形態に係る上フランジがフランジ支持部に当接して支持される状態の一部を示す斜視図である。。
【図９】本発明の第二の実施形態に係る磁気テープカートリッジの構成例を示す縦断面図である。
【図１０】本発明の第二の実施形態に係る先端部をＬ字型に形成されるフランジ支持部が上フランジを支持する状態の一部を示す斜視図である。
【図１１】本発明の第三の実施形態に係る磁気テープカートリッジの構成例を示す縦断面図である。
【図１２】関連技術の磁気テープカートリッジの構成を示す横断面図である。
【図１３】関連技術の磁気テープカートリッジが衝撃を受けた時に磁気テープが叩きつぶされる状態を示す横断面である。
【発明を実施するための形態】
【００２０】
以下、本発明の実施形態に係る磁気テープカートリッジについて、図面を参照して説明する。
（第一の実施形態）
本実施形態に係る磁気テープカートリッジの主要構成について、下記のように説明する。
【００２１】
本実施形態は、単一のリールを備えるものを例として説明するが、２つのリールを備えるものにも適用できる。
【００２２】
図１は、本実施形態に係る磁気テープカートリッジの構成例を示す縦断面図である。
【００２３】
図１に示すように、磁気テープカートリッジ１０は、カートリッジケース１１と、カートリッジケース１１に収納されるリール１２とを備える。
【００２４】
カートリッジケース１１は、ほぼ四角形の平面形を有する下ハーフとこの下ハーフと相似の平面形を有して下ハーフの上部に重ね合わせられる上ハーフとが四隅部で互いにビス等の接合手段により接合されて構成されたプラスチック製のものである。
【００２５】
なお、磁気テープを巻き取り又は巻き戻すことができるのであれば、カートリッジケース１１は、他の形状、接合手法又は他の材料で形成してもよい。
【００２６】
次に、リール１２は、例えば、合成樹脂製であり、中心にハブ１６が設けられる。ハブ１６の上下両端に円板状の２つの上フランジ１７と、下フランジ１８とを平行の状態で一体に結合して構成される。
【００２７】
上フランジ１７と下フランジ１８とは、磁気テープを巻き取り、又は巻き戻しができるのであれば、他の形状又は材質で形成してもよい。
【００２８】
上フランジ１７と、下フランジ１８の径、及びフランジ間隔の寸法は、磁気テープの種類や形状等により任意に設定されている。そして、このリール１２の２つのフランジ１７、１８の間は、磁気テープをリール１２のハブ１６に巻き取り又は巻き戻して使用される。
【００２９】
また、本実施形態では、カートリッジケース１１の周囲の一部を形成する４つの側壁部１３が設けられる。４つの側壁部１３は、リール１２の半径方向の外側に位置し、ハブ１６の中心軸に平行に設けられる。
【００３０】
４つの側壁部１３の内、例えば、少なくとも、１つの側壁部１３に、本実施形態では、４つの側壁部１３に、それぞれにフランジ支持部が設けられる。
図１において、フランジ支持部は、２つのフランジ支持部１９、２０のみ表示しているが、他に２つのフランジ支持部が形成される。
【００３１】
フランジ支持部は、合成樹脂の細長い板状に形成される。なお、フランジ支持部は、上フランジ１７をその変形の防止が可能なよう支持することができるものであれば、他の形状又は材料で形成してもよい。また、フランジ支持部は、上フランジ１７との接触面積の大小が接触の方向、例えば、真っ直ぐ、又は斜めに接触することで、調整することができる。
【００３２】
例えば、フランジ支持部１９、２０は、磁気テープ巻回時に磁気テープと干渉しないサイズで、且つ側壁部１３に設置される。即ち、磁気テープカートリッジ１０がイジェクトされる時に、後述する磁気テープ装置のクラッチ２３とリール１２のクラッチ１４との噛合によるリール１２の持ち上げがなくなる。この場合、フランジ支持部１９、２０は、上フランジ１７がその持ち上げ分を下がった位置で、上フランジ１７を支持できるように、側壁部１３に設置される。設置方法は、例えば、粘着方法や螺子止めなどが考えられる。なお、上フランジ１７を支持することができるものであれば、特にこれらに限定しない。
【００３３】
例として、図２及び図３は、本実施形態の磁気テープカートリッジにおけるフランジ支持部を取り付けた状態を示す横断面図である。
【００３４】
図２は、フランジ支持部が磁気テープカートリッジケースの側壁部に設置される状態を示す横断面図である。
【００３５】
図３は、フランジ支持部が磁気テープカートリッジケースの四隅部に設置される状態を示す横断面図である。
【００３６】
図１、図２及び図３に示すように、フランジ支持部１９、２０、２１、２２が上フランジ１７の端部と当接する状態で、上フランジ１７に外部から衝撃が加わった場合、上フランジ１７を支持することで、上フランジ１７の変形を阻止することができる。
【００３７】
図４は、磁気テープ装置２５に磁気テープカートリッジ１０を挿入する状態を示す図である。
【００３８】
図４において、リール１２には、ハブ１６の下端中心部１５に後述する磁気テープ装置２５のクラッチ２３と噛合するクラッチ１４が設けられる。
【００３９】
また、磁気テープ装置２５のクラッチ２３とリール１２のクラッチ１４とを噛合、又は離脱する場合、この噛合又は離脱により、リール１２を磁気テープカートリッジケース１１内にハブ１６の軸方向に持ち上げたり、下げたりすることができる。
【００４０】
これにより、磁気テープカートリッジ１０は、磁気テープ装置２５からイジェクトされるときに、磁気テープ装置２５のクラッチ２３とリール１２のクラッチ１４との噛合が解除される。この時、上フランジ１７は、磁気テープカートリッジケース１１の側壁部１３に設けられるフランジ支持部１９、２０、２１及び２２に当接して支持される。
【００４１】
これによって、リール１２は、磁気テープカートリッジ１０内に支持されて回転ができなくなる。
【００４２】
なお、磁気テープ装置２５に磁気テープ２６を挿入するときに、磁気テープ装置２５のクラッチ２３とリール１２のクラッチ１４とが噛合され、リール１２のクラッチ１４が磁気テープ装置２５のクラッチ２３により、磁気テープカートリッジケース１１内に押し上げられる。
【００４３】
これにより、上フランジ１７は、磁気テープカートリッジケース１１の側壁部１３に設けられるフランジ支持部１９、２０、２１及び２２から離れて、リール１２が回転できるようになり、磁気テープの巻き取りや巻き戻しができる。
【００４４】
次に、本実施形態に係る磁気テープカートリッジ内で磁気テープを巻き取り又は巻き戻しの動作を図面に基づいて説明する。
【００４５】
図５は、本発明の実施形態に係る磁気テープカートリッジ内で磁気テープを巻き取り又は巻き戻しの動作を示すフローチャートである。
【００４６】
まず、磁気テープ装置２５に磁気テープカートリッジ１０を挿入する（Ｓ６０１）。
【００４７】
図４に示すように、磁気テープ装置２５に磁気テープカートリッジ１０が挿入されると、磁気テープ装置２５のクラッチ２３が磁気テープカートリッジ１０のリール１２のクラッチ１４を押し込むことにより、リール１２が持ち上げられる。
【００４８】
図６は、フランジ支持部が上フランジから離れる状態の一部を示す斜視図である。
【００４９】
図６に示すように、リール１２が持ち上げたことにより、側壁部１３に設置されるフランジ支持部１９は、上フランジ１７から離れて下方に下がる。そして、リール１２が回転できるようになる。
【００５０】
また、図示していないが、フランジ支持部２０、２１、２２も、フランジ支持部１９と同様に設置されて、同様の動作を行うことができる。
【００５１】
この状態で、磁気テープ装置２５のデッキベース２４の表面上から突設されているクラッチ２３は、磁気テープカートリッジ１０内に収容されているリール１２のクラッチ１４とを噛合すると共に、１つの連結軸（図示せず）を介してリール１２を駆動するモータ（図示せず）とを接続している。
【００５２】
これによって、磁気テープ装置２５のクラッチ２３は、モータの回転力をリール１２のクラッチ１４に転送する。そして、リール１２のクラッチ１４は、転送されるモータの回転力でリール１２を駆動して回転させて、磁気テープ２６の読み込み動作や巻き戻し動作が行われる（Ｓ６０２）。
【００５３】
次に、磁気テープ装置２５から磁気テープカートリッジ１０を取り出す（Ｓ６０３）。
【００５４】
図７は、磁気テープ装置２５から磁気テープカートリッジ１０をイジェクトした状態を示す図である。
【００５５】
図７に示すように、磁気テープ装置２５から磁気テープカートリッジ１０がイジェクトされると、磁気テープ装置２５のクラッチ２３とリール１２のクラッチ１４が離れる。
【００５６】
磁気テープ装置２５のクラッチ２３からの持ち上げがなくなったので、リール１２は、元の位置に下がる。これに伴い、上フランジ１７は下方に下がり、この下がった位置に対応する側壁部１３に設置されているフランジ支持部１９、２０、２１、２２に当接して支持される。これにより、リール１２は回転ができなくなる。
【００５７】
図８は、上フランジがフランジ支持部に当接して支持される状態の一部を示す斜視図である。
【００５８】
図８に示すように、リール１２は、元の位置に下がったことにより、上フランジ１７は、側壁部１３に設置されるフランジ支持部１９に当接して支持される。そして、リール１２が回転できなくなる。（Ｓ６０３）。
【００５９】
また、図示に示していないが、フランジ支持部２０、２１、２２は、フランジ支持部１９と同様に上フランジ１７を支持することができる。
【００６０】
これによって、磁気テープの読み込み動作や巻き戻し動作が完了する。
【００６１】
本実施形態によれば、例えば、図１２に示すように、磁気テープ２は磁気テープカートリッジ内のリール１の中心に設けるハブ３に巻回しており、フランジ（上フランジ４と下フランジ５）と磁気テープ２の間には隙間が存在している。
【００６２】
このような隙間の存在により、図１３の（a）に示すように、磁気テープ２が巻かれる際に、巻き上げ時のテープのテンション変動や磁気テープ２のずれから磁気テープ２の一部がリール１の中心から上または下に飛び出た状態で巻き上げられる巻き乱れが発生し、磁気テープの一部が飛び出して、飛出部６が形成される。
【００６３】
また、図１３の（b）に示すように、磁気テープカートリッジが輸送時や保管時に落下などで衝撃Ｐを受けた場合、衝撃Ｐを受けた上フランジ４が変形される。磁気テープの飛出部６は、この変形された上フランジ４に叩きつぶされる。
【００６４】
さらに、図１３の（c）に示すように、磁気テープ２の飛出部６が叩き潰されることで、飛出部６のテープエッジの損傷を起こして、テープの走行不能やテープ切れという故障を防止することができる。
【００６５】
以上のように、本実施形態では、フランジをフランジ支持部で支持することにより、磁気テープカートリッジが外部から衝撃を受けたとしても、フランジ支持部でフランジの変形を阻止するため、フランジと磁気テープの接触によるテープダメージを防ぐことができる。
（第二の実施形態）
図９は、本発明の第二の実施形態に係る磁気テープカートリッジの構成例を示す縦断面図である。
【００６６】
図９に示すように、本実施形態に係る磁気テープカートリッジ２０において、フランジ支持部１９は、Ｌ字型に形成される。例えば、フランジ支持部１９は、上フランジ１７の先端面と先端面付近の内面に当接してフランジを支持する。それ以外の構成及び処理は、第一の実施形態と同様のものを想定するので、ここでの詳細な説明を省略する。
【００６７】
フランジ支持部１９をＬ字型に形成することにより、上フランジ１７を支持する面を増やすことにより、リール１２に横（側壁部１３からリール１２の中心に向かう方向）から衝撃力を受けても、フランジ支持部１９のＬ字型の先端部が上フランジ１７を横からも支持しているため、リール１２の横移動による磁気テープへの接触ダメージを防ぐことができる。
【００６８】
図１０は、先端部をＬ字型に形成されるフランジ支持部が上フランジを支持する状態の一部を示す斜視図である。
【００６９】
例として、図１０に示すように、Ｌ字型に形成されるフランジ支持部１９は、上フランジ１７を横からも支持することにより、リール１２の横移動を防止し、リール１２の横移動による磁気テープへの接触ダメージをも防ぐことができる。
【００７０】
以上のように、本実施形態では、上フランジを横からも支持しているため、リールの横移動による磁気テープへの接触ダメージを防ぐことができる。
（第三の実施形態）
図１１は、本発明の第三の実施形態に係る磁気テープカートリッジの構成例を示す縦断面図である。
【００７１】
図１１に示すように、本実施形態に係る磁気テープカートリッジ３０において、一対のフランジ３１、３２の間で、磁気テープ３７を巻き取るハブ３３を有するリール３４と、リール３４を収納し、フランジ３１、又は３２を支持する支持部３５を有するケース３６とを備える。それ以外の構成及び処理は、第一又は第二の実施形態と同様のものを想定するので、ここでの詳細な説明を省略する。
【００７２】
よって、本実施形態の構成によっても、フランジをフランジ支持部で支持することにより、磁気テープカートリッジが外部から衝撃を受けたとしても、フランジ支持部でフランジの変形を阻止するため、フランジと磁気テープの接触によるテープダメージを防ぐことができる。
【００７３】
以上のように、本発明の実施の形態を説明したが、上記については単に本発明の原理を示すものである。本発明は上記に示して説明した構成および実施形態に限定されるものではなく、さらに、多数の変形、変更が当業者にとって可能である。
【００７４】
付記
上記の実施形態の一部又は全部は、以下の付記のように記載することも可能である。但し、実際には、以下の記載に限定されない。
（付記１）
一対のフランジの間で、磁気テープを巻き取るハブを有するリールと、
前記リールを収納し、前記フランジを支持する支持部を有するケースとを備える磁気テープカートリッジ。
（付記２）
前記支持部は、前記フランジの一方を当接して支持するように、前記ケースの壁部又は前記ケースの隅部に設けられる付記１に記載の磁気テープカートリッジ。
（付記３）
前記リールは、回転するときに、前記ハブの軸方向に移動し、前記支持部による前記フランジの支持が外れる付記１又は２に記載の磁気テープカートリッジ。
（付記４）
前記支持部は、前記フランジの端部を支持する付記１〜３のいずれか１つに記載の磁気テープカートリッジ。
（付記５）
前記支持部は、前記フランジの先端面、またはその先端面付近を支持する付記４に記載の磁気テープカートリッジ。
（付記６）
前記支持部は、前記リールが回転する時に、前記磁気テープと干渉しない位置に形成される付記１〜５のいずれか１つに記載の磁気テープカートリッジ。
【産業上の利用可能性】
【００７５】
本発明の磁気テープカートリッジは、コンピュータシステムにおける大記憶容量バックアップに適用できる。
【符号の説明】
【００７６】
１、１２、３４    リール
２、２６、３７    磁気テープ
３、１６、３３    ハブ
４、１７、３１    上フランジ
５、１８、３２    下フランジ
６          飛出部
１０、２０、３０  磁気テープカートリッジ
１１、３６        磁気テープカートリッジケース
１３        側壁部
１４、２３  クラッチ
１５        下端中心部
１９、２０、２１、２２、３５  フランジ支持部
２４        デッキベース
２５        磁気テープ装置
【図１】
2015185198.tif 000003
【図２】
2015185198.tif 000004
【図３】
2015185198.tif 000005
【図４】
2015185198.tif 000006
【図５】
2015185198.tif 000007
【図６】
2015185198.tif 000008
【図７】
2015185198.tif 000009
【図８】
2015185198.tif 000010
【図９】
2015185198.tif 000011
【図１０】
2015185198.tif 000012
【図１１】
2015185198.tif 000013
【図１２】
2015185198.tif 000014
【図１３】
2015185198.tif 000015